(57)【特許請求の範囲】
【請求項１】
少なくとも通信機能を有する携帯機器を充電器本体に装着し、当該携帯機器を充電するための充電器であって、
前記充電器本体の底面より伸長し、前記充電器を支持する２以上の駆動脚部と、
前記携帯機器が受信したメッセージに基づいて、機械音声の出力を行うためのスイッチと、
前記携帯機器にメッセージの着信があったことを検知するメッセージ着信検知手段と、
対象への通知を行なう為に、前記駆動脚部を動作させる駆動通知手段と、を備え、
前記駆動通知手段は、前記メッセージ着信検知手段によるメッセージ着信の検知に基づいて、通知を行い、
前記スイッチは、操作時に、前記充電器本体の底面方向に押圧される位置に配置されることを特徴とする充電器。
【請求項２】
携帯機器が装着されているかどうかを判断する装着判断手段を更に備え、
前記駆動通知手段は、前記装着判断手段によって携帯機器が装着されていないと判断されると、通知を行なうことを特徴とする請求項１に記載の充電器。
【請求項３】
前記駆動脚部の動作方法を２以上記憶しており、
前記駆動通知手段は、検知したメッセージの送信者に応じて前記駆動脚部に動作を行わせることを特徴とする請求項１又は請求項２に記載の充電器。
【請求項４】
人体を検出する人体検出センサを更に備えることを特徴とする請求項１〜３の何れかに記載の充電器。
【請求項５】
前記駆動通知手段は、前記人体検出センサによる人体検出がなされているとき、あるいは人体検出が所定時間継続したときに、通知を行う為に前記駆動脚部を動作させることを特徴とする請求項４に記載の充電器。
【請求項６】
メッセージを介して人体検出センサのセンサ情報の出力要求を受け付ける出力要求受付手段と、
前記センサ情報の出力要求を受けた場合に、予め登録されている登録先に前記センサ情報を内容とするメッセージを送信する送信手段と、を更に備えることを特徴とする請求項４又は請求項５に記載の充電器。
【請求項７】
メッセージを介して人体検出センサのセンサ情報の出力要求を受け付ける出力要求受付手段と、
前記センサ情報の出力要求を受けた場合に、携帯機器に対して、予め登録されている登録先にセンサ情報を内容とするメッセージを送信するよう指示する送信指示手段と、を更に備えることを特徴とする請求項４又は請求項５に記載の充電器。
【請求項８】
前記携帯機器を保持する保持部を更に備え、
前記保持部は、前記携帯機器を保持する為の凹部と、前記携帯機器のモニタを視認可能にするための保持開口部と、を備えることを特徴とする請求項１〜７の何れかに記載の充電器。
【請求項９】
前記保持部は、前記携帯機器のスピーカーを外部に開放する為の開放部を備えることを特徴とする請求項８に記載の充電器。
【請求項１０】
請求項１〜９の何れかに記載の充電器と、携帯機器と、を備えた安否確認装置であって、
前記携帯機器は、着信メッセージを受け取り、機械音声を生成するメッセージ音声生成手段と、
前記機械音声を出力するメッセージ音声出力手段と、を備えることを特徴とする安否確認装置。
【発明の詳細な説明】
【技術分野】
【０００１】
本発明は、携帯機器用の充電器に関するものである。
【背景技術】
【０００２】
独居老人などの増加に伴い、その安否を確認するための安否確認システム、安否確認装置が提案されている。
【０００３】
たとえば、対象の居宅に配置されたタブレット端末に、管理者端末から送信されたメッセージを表示し、画面上に表示された読了応答ボタンを押下することで、メッセージに対する既読フラグを起動する遠隔見守りシステムが知られている（特許文献１）。
【０００４】
特許文献１に記載の技術によって、管理者端末より送信されたメッセージを対象の居宅に配置されたタブレット端末に表示し、更に読了ボタンを併せて表示することで、対象がメッセージを確認したか否かを容易に把握することができる。
【０００５】
また、メッセージを受信したことを音声通知したり、メッセージをフィーチャーフォン等に比べ画面面積の大きなタブレット端末に表示したりすることで、新たなメッセージを受け取ったことを、対象に通知している。
【先行技術文献】
【特許文献】
【０００６】
【特許文献１】特開２０１５−２０７０７７号公報
【発明の概要】
【発明が解決しようとする課題】
【０００７】
特許文献１の従来技術では、メッセージを受け取ったことを音声通知したり、メッセージをタブレット端末に表示したりすることで、新着メッセージの受信通知を対象に行っている。
【０００８】
しかしながら、視力や聴力が弱まった高齢者を対象にメッセージを送信した場合、対象が新着メッセージの受信通知に気付けない可能性がある。対象がメッセージに気付けなければ、安否確認を効率的かつ高精度に行うことができない。
【０００９】
本発明は、上記のような実状に鑑みてなされたものであり、対象の安否確認をより効果的に行なうための携帯機器用の充電器を提供することを課題とする。
【課題を解決するための手段】
【００１０】
上記課題を解決するために、本発明は、少なくとも通信機能を有する携帯機器を装着し、当該携帯機器を充電するための充電器であって、
充電器を動作させる駆動部と、
前記携帯機器にメッセージの着信があったことを検知するメッセージ着信検知手段と、
対象への通知を行なう為に、前記駆動部を動作させる駆動通知手段と、を備え、
前記駆動通知手段は、前記メッセージ着信検知手段によるメッセージ着信の検知に基づいて、通知を行なうことを特徴とする。
【００１１】
このような構成とすることで、駆動部を用いて充電器を動作させ、通知を行なうことができる。従来であれば、光や音などによって通知を行なっていたが、視力や聴力が弱まった高齢者を対象にメッセージを送信した場合、対象が新着メッセージの受信通知に気付けない可能性がある。そのため、駆動部を用いて充電器を動かし、通知を行なうことで、より効果的に新着メッセージの通知等を行うことが出来る。
【００１２】
本発明の好ましい形態では、携帯機器が装着されているかどうかを判断する装着判断手段を更に備え、
前記駆動通知手段は、前記装着判断手段によって携帯機器が装着されていないと判断されると、通知を行なうことを特徴とする。
このような構成とすることで、充電器への携帯機器の装着し忘れを、より効果的に防止することができる。
【００１３】
本発明の好ましい形態では、前記駆動部は、前記充電器の底面に備えられ、伸長した状態で前記充電器を支持する１以上の駆動脚部を備えることを特徴とする。
【００１４】
本発明の好ましい形態では、前記駆動脚部の動作方法を２以上記憶しており、
前記駆動通知手段は、検知したメッセージの送信者に応じて前記駆動脚部に動作を行わせることを特徴とする。
このような構成とすることで、送信者別に駆動脚部の動作を設定することができ、動作に応じて送信者を識別することが可能である。
【００１５】
本発明の好ましい形態では、人体を検出する人体検出センサを更に備えることを特徴とする。
【００１６】
本発明の好ましい形態では、前記駆動通知手段は、前記人体検出センサによる人体検出がなされているとき、あるいは人体検出が所定時間継続したときに、通知を行う為に前記駆動部を動作させることを特徴とする。
このような構成とすることで、人体検出が行われた、即ち付近に対象者がいる際に、通知を行なうことができる。これにより、無駄な通知や就寝時の通知等を防止することができる。
【００１７】
本発明の好ましい形態では、メッセージを介して人体検出センサのセンサ情報の出力要求を受け付ける出力要求受付手段と、
前記センサ情報の出力要求を受けた場合に、予め登録されている登録先に前記センサ情報を内容とするメッセージを送信する送信手段と、を更に備えることを特徴とする。
【００１８】
本発明の好ましい形態では、メッセージを介して人体検出センサのセンサ情報の出力要求を受け付ける出力要求受付手段と、
前記センサ情報の出力要求を受けた場合に、携帯機器に対して、予め登録されている登録先にセンサ情報を内容とするメッセージを送信するよう指示する送信指示手段と、を更に備えることを特徴とする。
このような構成とすることで、外部から任意のタイミングで、センサの情報を取得することができる。例えば最後に人体（対象者）を検出した時刻などを、非対象者が任意のタイミングにて知ることができる。
【００１９】
本発明の好ましい形態では、前記携帯機器を保持する保持部を更に備え、
前記保持部は、前記携帯機器を保持する為の凹部と、前記携帯機器のモニタを視認可能にするための保持開口部と、を備えることを特徴とする。
このような構成とすることで、携帯機器に設けられたディスプレイ（タッチパネル）を使用して、安否確認装置を提供することが可能となる。
【００２０】
本発明の好ましい形態では、前記保持部は、前記携帯機器のスピーカーを外部に開放する為の開放部を備えることを特徴とする。
このような構成とすることで、携帯機器に設けられたスピーカーを使用して、安否確認装置を提供することが可能となる。
【００２１】
本発明は、前記充電器と、携帯機器と、を備えた安否確認装置であって、
前記携帯機器は、着信メッセージを受け取り、機械音声を生成するメッセージ音声生成手段と、
前記機械音声を出力するメッセージ音声出力手段と、を備えることを特徴とする。
このような構成とすることで、例えば視力が低下した対象者であっても、メッセージの内容を確認することが可能である。
【発明の効果】
【００２２】
本発明によれば、対象の安否確認をより効果的に行なうための携帯機器用の充電器を提供することができる。
【図面の簡単な説明】
【００２３】
【図１】本発明の実施形態に関る充電器１の外観を示す図である。図１（ａ）は、携帯機器２を載置した状態の充電器１の斜視図を示し、図１（ｂ）は、携帯機器２を取り外した状態の充電器１の斜視図を示し、図１（ｃ）は、充電器１の底面図を示し、図１（ｄ）は、充電器１の側面図を示している。
【図２】本発明の実施形態に関る充電器１のハードウェア構成を示す図である。
【図３】本発明の実施形態に関る携帯機器２のハードウェア構成を示す図である。
【図４】本発明の実施形態に関る充電のための回路構成の一例を示す図である。
【図５】本発明の実施形態に関る充電器１及び携帯機器２の機能構成を表す機能ブロック図である。
【図６】本発明の実施形態に関る図６は駆動脚部８を伸長させた状態の充電器１を示す外観図である。
【図７】本発明の実施形態に関る充電器１の処理フローチャートである。
【図８】本発明の他の実施形態に充電器１の処理フローチャートである。
【図９】本発明の実施形態に関る携帯機器２の処理フローチャートである。
【発明を実施するための形態】
【００２４】
以下、図面を参照して、本発明の一実施形態に関る携帯機器用の充電器について説明する。なお、以下に示す実施形態は本発明の一例であり、本発明を以下の実施形態に限定するものではない。本実施形態に関る充電器及び携帯機器は、例えば、対象者の居宅や病室、老人ホームや老人福祉施設等に設置され、使用される。
【００２５】
図１に、この発明の一実施形態による充電器の外観を示す。図１（ａ）は携帯機器２を載置した状態の充電器１の斜視図、図１（ｂ）は携帯機器２を取り外した状態の充電器１の斜視図を示し、図１（ｃ）は充電器１の底面図を示し、図１（ｄ）は充電器１の側面図を示す。充電器１は、人体の接近を検出するための赤外センサ３（人体検出センサ）と、携帯機器２を保持する保持部４と、再生スイッチ５と、録音スイッチ６と、脚部７と、駆動脚部８（駆動部）と、充電コイル９と、を備えている。
【００２６】
本実施形態における保持部４は、携帯機器２を保持する為の一対の凹部と、携帯機器２のスピーカーを外部に開放する為の溝や穴、孔である開放部４１を備えている。充電器１前面には、携帯機器２のディスプレイを視認可能に開放する保持開口部が形成されている。携帯機器の形状と、提供する安否確認装置の構成にもよるが、必要に応じて、マイクやカメラを開放する為の開放部を設けるようにしても構わない。
【００２７】
本実施形態における携帯機器２は、スマートフォンである。例えば、携帯電話、携帯情報端末、タブレットコンピュータ、携帯ゲーム機、カメラ等、通信機能を有する携帯機器であれば、本発明に適用することができる。
【００２８】
図２に、充電器のハードウェア構成を示す。CPU１０１には、メモリ１０２、入力部１０３（再生スイッチ、録音スイッチ）、赤外センサ３、記憶部１０４、近距離無線通信回路１０５、充電制御回路１０６が接続されている。
【００２９】
近距離無線通信回路１０５は、例えば、Bluetooth（登録商標）規格による通信回路であって、携帯機器２と無線通信を行うためのものである。これにより、充電器１と携帯機器２間の情報のやり取りや、指示などを行うことができる。記憶部１０４は不揮発性メモリであり、オペレーティングシステム１０７（OS）、充電器制御プログラム１０８が記録されている。充電器制御プログラム１０８は、オペレーティングシステム（OS）１０７と協働してその機能を発揮するものである。
【００３０】
図３に、携帯機器２のハードウェア構成を示す。CPU２０１には、メモリ２０２、入力デバイス２０３（タッチパネル、スイッチ、マイク）、出力デバイス２０４（ディスプレイ、スピーカー）、記憶部２０５、近距離無線通信回路２０６、通信回路２０７、非接触充電回路２０８が接続されている。
【００３１】
近距離無線通信回路２０６は、例えば、Bluetooth（登録商標）規格による通信回路であって、充電器１と無線通信を行うためのものである。通信回路２０７は、例えば、GMSやCDMA2000、LTE等の移動通信規格による通信回路である。記憶部２０５は不揮発性メモリであり、オペレーティングシステム２０９（OS）、処理プログラム２１０が記録されている。処理プログラム２１０は、オペレーティングシステム（OS）２０９と協働してその機能を発揮するものである。非接触充電回路２０８は、蓄電池２１３に対する充電を制御する回路である。
【００３２】
図４に、充電のための回路構成を示す。充電器１の発振回路１０９は、高周波を発振して出力する。インバータ回路１１０は、発振回路１０９からの高周波に応じて、電源をスイッチングして充電コイル９に与える。携帯機器２が充電器１に装着されると、内蔵されている充電コイル２１１と、充電器１の充電コイル９が電磁結合し、充電コイル９の高周波電圧が、充電コイル２１１に伝達される。携帯機器２の全波整流回路２１２はこれを整流し、蓄電池２１３に与える。これにより、蓄電池２１３が充電される。本実施形態では、非接触式の充電回路について説明しているが、接触式の充電回路であっても同様に適用することができる。
【００３３】
充電器１の充電制御回路１０６は、充電の開始や停止を制御するものである。加えて、充電制御回路１０６は、携帯機器２と通信する機能も有している。充電コイル９に与える高周波を、信号によって変調し、携帯機器２側において、電磁結合によって伝送された高周波から信号を復調する。同様にして、携帯機器２側から充電器１に対して信号を送ることもできる。
【００３４】
充電制御回路１０６は、常に所定時間間隔で、ID問い合わせ信号を送信している。充電器１に装着された携帯機器２は、このID問い合わせ信号を受信する。ID問い合わせ信号を受信した携帯機器２は、自らのIDを充電器１に返信する。これにより、ID問い合わせ信号に対する返信の有無により、携帯機器２が装着されているかどうかを判断できる。
【００３５】
本実施形態では、充電のための電磁結合を介した通信より、携帯機器２が充電器１に装着されているかどうかを判断しているが、充電器１にマイクロスイッチなどのセンサを設け、装着検出を行うようにしてもよい。
【００３６】
図５は、充電器１及び携帯機器２の機能構成を表す機能ブロック図である。メッセージ着信検知手段１０は、携帯機器２にメッセージの着信があったことを検知する。装着判断手段１１は、充電対象である携帯機器２が装着されたことを判断する。駆動通知手段１２は、駆動脚部８（駆動部）を制御して動かし、対象者への通知を行なう。
【００３７】
対象者が再生スイッチ５を押下すると、再生指示手段１３は携帯機器２に対してメッセージを音声として出力するよう指示を与える。携帯機器２は、再生指示を受け取ると、再生手段２２を用いて、記憶部に記憶された機械音声を、スピーカー（出力デバイス２０４）を介して再生する。
【００３８】
対象者が録音スイッチ６を押下すると、録音指示手段１４は携帯機器２に対して、音声の録音と、録音した音声データを予め登録された登録先に送信するよう指示を与える。録音指示を受けると、録音手段２３は、マイク（入力デバイス２０３）を介して対象者の音声を録音する。録音された音声データは、メッセージ処理手段２１に受け渡され、音声データを添付したメッセージが作成され、通信回路２０７を介して登録者まで送信される。登録者の情報は、本実施形態では携帯機器２に記憶されているが、充電器１に記憶されてもよい。
【００３９】
再生スイッチ５や録音スイッチ６にはＬＥＤ照明等の発光体を設け、新着メッセージが有る場合（再生するメッセージが有る場合）や、録音中などに発行させるようにしてもよい。
【００４０】
赤外センサ３（人体検出センサ）は、充電器１の近傍に人がいることを検出する。赤外センサ３で検知されたセンサ情報は、センサ情報記憶手段１５によって記憶される。出力要求受付手段１６は、携帯機器２を介して情報の出力要求を受け付ける。情報の出力要求が行われると、送信指示手段１７は、記憶されたセンサ情報を、登録先にメッセージ送信するよう携帯機器２に対して指示を与える。
【００４１】
本実施形態では、赤外センサ３によって人を検出するようにしているが、赤外センサ３に替えて静電センサ、光電センサ等を用いたり、これらセンサを組み合わせて人体検出を行うようにしてもよい。そのほかに、光センサや温度センサ等を設け、対象者の就寝や、対象者宅の室温等を併せて検知するように構成してもよい。
【００４２】
また、人体検出センサで検出したセンサ情報は、充電器１の記憶部に記憶されている。近距離無線通信回路１０５を介して検出したセンサ情報を携帯機器２に出力し、携帯機器２の記憶部で記憶するようにしても構わない。
【００４３】
本実施形態におけるメッセージ処理手段２１は、携帯機器２のメーラーである。ライン(商標) などその他のメッセージ通信プログラムを用いるようにしてもよい。メッセージ処理手段２１がメッセージを受信すると、テキスト処理手段２４がメッセージに記載されたテキストを解析する。解析されたメッセージのテキストは、音声合成手段２５に受け渡され、メッセージのテキストを音声化した機械音声が作成される。機械音声は記憶部に記憶され、再生手段２２で再生される。
【００４４】
テキスト処理手段２４が解析したテキストの中に、特定の処理を行うキーワードが含まれているか否かを、判定手段２６を用いて判定する。本実施形態では、メッセージの本文テキスト中に「センサ」というキーワードが含まれていた場合、出力要求受付手段１６にセンサ情報の出力要求を行う。
【００４５】
また、キーワードが含まれていない場合には、音声合成手段２５により機械音声を作成して、通常のメッセージとして処理し、メッセージ着信検知手段１０に対して、新着メッセージの受け取りを通知する。本実施形態では、新着メッセージの受け取り通知を、判定手段２６による判定処理の後に行っているが、どのタイミングで行っても構わない。
【００４６】
本実施形態では、対象者に通知を行う為の２つの駆動脚部８が、充電器１の底面に備えられている。駆動脚部８は、普段は充電器１に収容されている。充電器１は、通常の状態では、伸長しない脚部７によって支持されている。CPU１０１は、所定の条件下において、駆動通知手段１２を介して駆動脚部８を動作させ、通知を行なう。充電器１に２つの駆動脚部が設けられているが、１又は２以上の駆動脚部８を設けてもよい。また、本実施形態では、脚部７及び駆動脚部８の先端（接地端側）には樹脂材料の滑り止め部材が設けられている。
【００４７】
駆動脚部８の動作は、各駆動脚部８の伸長する時間や、速度、伸長のタイミング、それぞれの駆動脚部８が最も伸長して戻るまでの１周期の時間等の組み合わせにより、バリエーションを持たせることが可能である。図６は駆動脚部８を伸長させた状態の充電器１を示す外観図である。
【００４８】
図６（ａ）は、２つの駆動脚部８を逆位相で伸縮させた場合の外観図を示し、図６（ｂ）は、２つの駆動脚部８を同位相で伸縮させた場合の外観図を示す。この駆動脚部８の動作バリエーションは予め記憶部１０４に記憶されており、受け取ったメッセージの送信者ごとに、動作を変化させることが可能である。駆動脚部８の動作バリエーションを携帯機器２が記憶していても構わない。
【００４９】
本実施形態では、駆動脚部８を用いて通知を行なっているが、充電器１側又は携帯機器２側に設けられた発光体やスピーカー等から、併せて通知を行なうように構成してもよい。また、充電器１に脚部７と駆動脚部８が別個に設けられているが、駆動脚部８が脚部７を兼ねるように構成してもよいし、脚部７が無く、充電器１の底面で接地するように構成しても構わない。対象者の就寝時刻などに併せて通知を行なわない時間を設定かのうであってもよい。また、光センサ等を設けて、対象者の就寝を判定し、通知を制限する構成を備えていてもよい。
【００５０】
図７及び図８に、充電器制御プログラム１０８の処理フローチャートを示す。CPU１０１は、充電器１に携帯機器２が装着（載置）されているかどうかを判断する（ステップＳ１）。携帯機器２が装着されているかどうかは、装着判断手段１１により、充電制御回路１０６に問い合わせることによってわかる。携帯機器２が装着されている場合（ステップＳ１でＹｅｓ）、ステップＳ２に進む。ステップＳ１で携帯機器２が装着されていない場合（ステップＳ１でＮｏ）、ステップＳ１１（Ｂ）に進む。
【００５１】
次にステップＳ２では、メッセージの送信条件に該当するかを判断する。メッセージの送信条件に該当する場合（ステップＳ２でＹｅｓ）、ステップＳ２１（Ｃ）に進む。メッセージの送信条件に該当しない場合（ステップＳ２でＮｏ）、ステップＳ３に進む。
【００５２】
ステップＳ３では、赤外センサ３が人を検知したか否かを判定する。赤外センサ３が検知を行った場合（ステップＳ３でＹｅｓ）、ステップＳ４に進み、検知した時刻をセンサ情報として記憶する（ステップＳ４）。赤外センサ３で検知がなされない場合（ステップＳ３でＮｏ）、ステップＳ３１（Ｄ）に進む。
【００５３】
ステップＳ５では、新着メッセージが有るかどうかを判定する。メッセージ処理手段２１が新着メッセージを受け取った場合、充電器１のメッセージ着信検知手段１０は、近距離無線通信回路１０５を介してメッセージ受信の情報を受け取ることで、新着メッセージの有無を検知することができる。
【００５４】
新着メッセージがある場合（ステップＳ５でＹｅｓ）、ステップＳ６に進む。新着メッセージがない場合（ステップＳ５でＮｏ）、ステップＳ１（Ａ）に進む。
【００５５】
ステップＳ６では、同様に近距離無線通信回路１０５によって新着メッセージの送信者ID等、メッセージの送信者を判別する為の送信者情報を受け取り、ステップＳ７に進む。  ステップＳ７では、駆動脚部８を用いて対象者への通知を行なう。駆動脚部８の動作は、この送信者IDに基づいて決定され、送信者別の動作が実行される。
【００５６】
ステップＳ８では、赤外センサ３が人を検知したか否かを判定する。赤外センサ３が検知を行った場合（ステップＳ５でＹｅｓ）、ステップＳ６に進み、検知した時刻をセンサ情報として記憶する（ステップＳ６）。ステップＳ７では、駆動脚部８を用いて対象者への通知を行なう。これにより、対象者が周囲にいることを確認してから通知を行なうことができ、不要な通知を減らすことができる。
【００５７】
ステップＳ１で、携帯機器２が装着されていない場合（ステップＳ１でＮｏ）、図８（ａ）のステップＳ１１（Ｂ）に進む。ステップＳ１１では、赤外センサ３が人を検知したか否かを判定する。赤外センサ３が検知を行った場合（ステップＳ１１でＹｅｓ）、ステップＳ１２に進み、検知した時刻をセンサ情報として記憶する（ステップＳ１２）。そして駆動脚部８を用いて対象者への通知を行なう（ステップＳ１３）。
【００５８】
ステップＳ２でメッセージの送信条件に該当する場合（ステップＳ２でＹｅｓ）、図８（ｂ）のステップＳ２１（Ｃ）に進む。ステップＳ２１では、携帯機器２に送信されたメッセージを介して、センサ情報の出力要求がなされたか否かを判定する。
【００５９】
センサ情報の出力要求がなされた場合（ステップＳ２１でＹｅｓ）、記憶している最先のセンサ情報を、近距離無線通信回路１０５によって携帯機器２に出力する（ステップＳ２２）。そして、CPU１０１は、このセンサ情報の内容を、予め登録してある登録先にメッセージとして送信するように、携帯機器２に送信指令を与える（ステップＳ２３）。この送信指令は、近距離無線通信回路１０５を介して、携帯機器２に与えられる。
【００６０】
近距離無線通信回路２０６を介して送信指令は、メッセージ処理手段２１に与えられる。メッセージ処理手段２１は、予め、連絡先として登録されている１以上の登録先に対し、受け渡したセンサ情報を内容とするメールを送信する。本実施形態では、近距離無線通信回路１０５を介してメッセージの送信指示を出しているが、充電回路の電磁結合等を利用して、メッセージ送信指令等を伝達するように構成してもよい。
【００６１】
センサ情報の出力要求がなされていない場合（ステップＳ２１でＮｏ）、登録先への定期的な、センサ情報の報告処理を行う（Ｓ２４）。最先のセンサ情報が既に登録者に通知されている場合（ステップＳ２５でＹｅｓ）、ステップＳ１（Ａ）に戻る。最先のセンサ情報がまだ登録者に通知されていない場合（ステップＳ２５でＮｏ）、記憶している最先のセンサ情報を、近距離無線通信回路１０５を介して携帯機器２に出力する（ステップＳ２６）。そして、CPU１０１は、このセンサ情報の内容を、予め登録してある登録先にメッセージとして送信するように、携帯機器２に送信指令を与える（ステップＳ２７）。
【００６２】
赤外センサ３で検知がなされない場合（ステップＳ３でＮｏ）、図８（ｃ）のステップＳ３１（Ｄ）に進む。ステップＳ３１では、所定時間の間、赤外センサ３によって人が検知されたか否かを判定する。
【００６３】
所定時間の間に赤外センサ３によって人が検知された場合（ステップＳ３１でＹｅｓ）、ステップＳ１（ａ）に戻る。所定時間の間、赤外センサ３によって人が検知されていない場合（ステップＳ３１でＮｏ）、対象者の所在が不明であると判断してする（Ｓ３２）。CPU１０１は、この判断内容をメッセージの内容として、予め登録してある登録先にメッセージを送信するように、携帯機器２に送信指令を与える（ステップＳ３７）。
【００６４】
充電器１の側に通信回路を設け、メーラーなどのメッセージ通信プログラムをインストールしておき、充電器１から登録先に対してメッセージを送信するようにしてもよい。
【００６５】
図９に、携帯機器２の処理プログラム２１０の処理フローチャートを示す。図９（ａ）では、まず、新着メッセージが有るかどうかが判断される（ステップＳ４１）。メッセージ処理手段２１が新着メッセージを受信した場合（ステップＳ４１でＹｅｓ）、ステップＳ５１（Ｆ）に進む。ステップＳ４１でメッセージ処理手段２１が新着メッセージを受信していない場合（ステップＳ４１でＮｏ）、ステップＳ４２に進む。
【００６６】
ステップＳ４２では、メッセージの再生要求の有無を判断する。再生スイッチ５が押下され、メッセージの再生要求がある場合（ステップＳ４２でＹｅｓ）、再生手段２２を用いて、記憶した最先の機械音声を再生し（ステップＳ４４）、ステップＳ４１（Ｅ）に戻る。本実施形態では、携帯機器２のスピーカーを用いて機械音声を再生しているが、充電器１にスピーカーを設け、充電器１で再生を行うようにしても構わない。
【００６７】
ステップＳ４３では、メッセージの送信要求の有無を判断する。録音スイッチ６が押下され、メッセージの送信要求がある場合（ステップＳ４３でＹｅｓ）、録音手段２３を用いて音声を録音し（ステップＳ４５）、メッセージ処理手段２１によって音声データを有するメッセージを出力した後、ステップＳ４１（Ｅ）に戻る。本実施形態では、携帯機器２のマイクを用いて音声の録音を行っているが、充電器１にマイクを設け、充電器１で録音を行うようにしても構わない。
【００６８】
Ｓ４１で、メッセージ処理手段２１が新着メッセージを受信した場合（ステップＳ４１でＹｅｓ）、図９（ｂ）のステップＳ５１（Ｆ）に進む。受け取ったメッセージのテキストは、テキスト処理手段２４により文章解析処理が行われる。
【００６９】
解析処理の結果、テキスト中に特定の処理を要求するキーワードがなかった場合（ステップＳ５２でＮｏ）、テキストを機械音声に変換し、記憶部に記憶して、ステップＳ４１（Ｅ）に戻る。
【００７０】
解析処理の結果、テキスト中にセンサ情報の出力処理を要求するキーワードがあった場合（ステップＳ５２でＹｅｓ）、充電器１に対して、センサ情報の出力要求を行う（ステップＳ５５）。そして、受け取ったセンサ情報を内容としたメッセージを、メッセージ処理手段２１を介して送信し（ステップＳ５６）、ステップＳ４１（Ｅ）に戻る。
【００７１】
本実施形態におけるセンサ情報を内容としたメッセージは、センサ情報の出力要求を行った登録者に送信（又は返信）される。
【００７２】
本発明によれば、駆動脚部（駆動部）を用いて充電器を動作させ、対象者に対する通知を行なうことができる。駆動脚部を用いて充電器を動かし、通知を行なうことで、より効果的に新着メッセージの通知や、充電器への携帯機器の装着し忘れ等の警告を行うことが出来る。
【００７３】
また、送信者別に駆動脚部の動作を設定することができ、動作に応じて送信者を識別することが可能である。
【００７４】
また、人体検知センサを用いて人体（対象者）を検知した際に通知を行なうことで、無駄な通知や就寝時の通知等を防止することができる。
【００７５】
また、メッセージを機械音声に変換して出力することで、例えば視力が低下した対象者であっても、メッセージの内容を確認することが可能である。
【００７６】
また、外部（非対象者）からのセンサ情報の出力要求に応じて、任意のタイミングで、センサの情報を取得することができる。例えば最後に人体（対象者）を検出した時刻などを、非対象者が任意のタイミングにて知ることができる。
【００７７】
また、携帯機器のメーラーやディスプレイ（タッチパネル）、マイク、スピーカー等、を使用して、容易に安否確認装置を提供することが可能となる。
【符号の説明】
【００７８】
１  充電器
１０  メッセージ着信検知手段
１１  装着判断手段
１２  駆動通知手段
１３  再生指示手段
１４  録音指示手段
１５  センサ情報記憶手段
１６  出力要求受付手段
１７  送信指示手段
１０１  ＣＰＵ
１０２  メモリ
１０３  入力部（再生スイッチ、録音スイッチ）
１０４  記憶部
１０５  近距離無線通信回路
１０６  充電制御回路
１０７  オペレーティングシステム（OS）
１０８  充電器制御プログラム
１０９  発振回路
１１０  インバータ回路
２  携帯機器
２１  メッセージ処理手段
２２  再生手段
２３  録音手段
２４  テキスト処理手段
２５  音声合成手段
２６  判定手段
２０１  ＣＰＵ
２０２  メモリ
２０３  入力デバイス（タッチパネル、スイッチ、マイク）
２０４  出力デバイス（ディスプレイ、スピーカー）
２０５  記憶部
２０６  近距離無線通信回路
２０７  通信回路
２０８  非接触充電回路
２０９  オペレーティングシステム（OS）
２１０  制御プログラム
２１１  充電コイル
２１２  全波整流回路
２１３  蓄電池
３  赤外センサ（人体検出センサ）
４  保持部
４１  開放部
５  再生スイッチ
６  録音スイッチ
７  脚部
８  駆動脚部
９  充電コイル
【図１】
0006588821.tif 000002
【図２】
0006588821.tif 000003
【図３】
0006588821.tif 000004
【図４】
0006588821.tif 000005
【図５】
0006588821.tif 000006
【図６】
0006588821.tif 000007
【図７】
0006588821.tif 000008
【図８】
0006588821.tif 000009
【図９】
0006588821.tif 000010